(57)【要約】      （修正有）【課題】洗浄力と柔軟性付与の双方において実用上満足しかつ黄ばみの問題を解消し、皮膚刺激性が低く、易生分解性と低水生生物毒性をも達成した液体洗浄剤組成物を提供する。【解決手段】分岐型の含有量が５０％以上である飽和１級アルコールから誘導された下記化学式（１）で表される非イオン界面活性剤（Ａ）と、アニオン界面活性剤（Ｂ）と、カチオン界面活性剤（Ｃ）とを含有し、これら各成分の固形分重量比が（Ａ）／［（Ｂ）＋（Ｃ）］＝１／１〜２０／１であり、かつ（Ｂ）／（Ｃ）＝２／１〜１／２であるものとする。2006104390.tif 000012（Ｒ１は炭素数８〜１０の炭化水素基の含有量が８０％以上である炭化水素基を示し、−（ＡＯ）−は炭素数が３および／または４のオキシアルキレン基を示し、−（ＥＯ）−は炭素数が２のオキシエチレン基を示す。また、ｎ、ｍはそれぞれアルキレンオキシドの平均付加モル数を示し、ｎは０〜５、ｍは１〜５０である。）【選択図】なし【特許請求の範囲】
【請求項１】
炭素数８〜１０の飽和アルコールの含有量が８０％以上であり、かつ分岐型アルコールの含有量が５０％以上である飽和１級アルコールから誘導された下記化学式（１）で表される非イオン界面活性剤である成分（Ａ）と、アニオン界面活性剤である成分（Ｂ）と、カチオン界面活性剤である成分（Ｃ）とを含有し、
前記各成分の固形分重量比が（Ａ）／［（Ｂ）＋（Ｃ）］＝１／１〜２０／１であり、かつ（Ｂ）／（Ｃ）＝２／１〜１／２である
ことを特徴とする液体洗浄剤組成物。
【化１】
2006104390.tif 000010
（Ｒ１は炭素数８〜１０の炭化水素基の含有量が８０％以上である炭化水素基を示し、−（ＡＯ）−は炭素数が３および／または４のオキシアルキレン基を示し、−（ＥＯ）−は炭素数が２のオキシエチレン基を示す。また、ｎ、ｍはそれぞれアルキレンオキシドの平均付加モル数を示し、ｎは０〜５、ｍは１〜５０である。）
【請求項２】
前記成分（Ａ）が２−アルキル−１−アルカノール型の分岐型飽和１級アルコールから誘導された、下記化学式（２）で表される非イオン界面活性剤であることを特徴とする、請求項１に記載の液体洗浄剤組成物。        
【化２】
2006104390.tif 000011
（Ｒ２、Ｒ３は炭化水素基を示し、Ｒ２を構成する炭化水素基の炭素数は４〜６、Ｒ３を構成する炭化水素基の炭素数は２〜４であり、Ｒ２とＲ３の炭化水素基の炭素数の合計が６〜１０である。−（ＡＯ）−、−（ＥＯ）−、ｎ及びｍは、化学式（１）と同じである。）
【請求項３】
前記成分（Ａ）の臨界ミセル濃度（ｃｍｃ）が０．０１重量％以上１．０重量％未満の範囲にあり、前記成分（Ｂ）の臨界ミセル濃度（ｃｍｃ）が０．０１重量％以上１．０重量％未満の範囲にあり、前記成分（Ｃ）の臨界ミセル濃度（ｃｍｃ）が０．０００１重量％以上０．１重量％未満の範囲にあることを特徴とする、請求項１又は２に記載の液体洗浄剤組成物。
【発明の詳細な説明】
【技術分野】
【０００１】
本発明は液体洗浄剤組成物に関し、特に繊維製品に用いられる液体洗浄剤組成物に関する。
【背景技術】
【０００２】
液体洗浄剤は、液体の特性から種々の機能を有する成分を配合し易い上、衣類に対してソフトなイメージがある為に、従来から複数の機能を二次的に付与した製品が開発されている。なかでも衣類に対する洗浄作用と柔軟化作用は、元来相反する作用により発現する機能である為、柔軟化作用を付与した液体洗浄剤の開発が以前から行われてきた。
【０００３】
例えば特開昭５７−１０５４９６号公報には特定の非イオン界面活性剤と、アニオン界面活性剤とカチオン界面活性剤とアミンオキシドからなる酸性液体洗浄剤組成物が開示されているが、洗浄力については弱アルカリ性重質液体洗剤に比べ満足のいくものではない。また、特開昭６２−４８７９６号公報には、アニオン界面活性剤とカチオン界面活性剤と非イオン界面活性剤から成る液体洗浄剤組成物が開示されているが、固体粒子汚れの分散性については満足のいくものではない。また、特開平９−２５５９８８号公報等には、柔軟化作用を有する液体洗浄剤組成物が開示されているが、いずれも軽質洗剤を目的としたものであり、洗浄力については充分なものではない。このように、衣類柔軟化基剤を含む液体洗浄剤組成物は、洗浄力や固体粒子汚れの分散力に課題があり、重質洗剤レベルの洗浄力と充分な柔軟化効果を併せ持つ液体洗剤が望まれている。
【０００４】
これに対し、ノニオン界面活性剤に繊維柔軟化効果を有する第４級アンモニウム塩を配合した液体洗浄剤が、特開昭５３−４３７０８号公報、特開昭５４−３９４１３号公報、特開平１１−３１５２９９号公報等に開示されているが、第４級アンモニウム塩を含む洗浄剤で洗濯した場合、繊維、特に綿衣料に柔軟性を付与するものの、洗浄水中の鉄分の吸着により布類の黄ばみを生じるといった問題があった。
【０００５】
また、ウール、絹、アクリル等のセーターやブラウス等のデリケートな繊維素材を対象とした洗浄剤、いわゆるライト系洗剤においては、製品自体が中性で、且つ、洗浄と同時に柔軟性を付与する事が好ましく、ノニオン性界面活性剤を主成分としてアニオン界面活性剤およびカチオン界面活性剤を適宜組み合わせた組成物が特開昭５６−１５２８９８号公報、特開昭５６−１５２８９９号公報、特開昭６１−９７３９６号公報、特開昭６２−７０４９８号公報等に例示されている。しかしながら、アクリル等の合成繊維から綿等の親水性繊維まで繊維の種類を問わずに十分な柔軟性付与効果を示し、かつ布類の黄ばみを生じない洗浄剤は得られていない。
【特許文献１】特開平１１−３１５２９９号公報
【特許文献２】特開平９−２５５９８８号公報
【発明の開示】
【発明が解決しようとする課題】
【０００６】
本発明は、前述のような従来技術の問題点に鑑みてなされたものであり、実用上満足し得る洗浄力を示しながら、柔軟性付与効果においても満足し得る液体洗浄剤組成物であって、布類の黄ばみを生じず、かつ皮膚刺激性が低く、易生分解性と低水生生物毒性をも達成した液体洗浄剤組成物を提供することを目的とする。
【課題を解決するための手段】
【０００７】
本発明者は、実用上満足し得る洗浄力と柔軟性付与の双方を実現するのに必要な諸条件について探索した結果、特定の化学構造を有し、好ましくは特定の臨界ミセル濃度（ｃｍｃ）の範囲内にある非イオン界面活性剤を必須成分として使用することで、相反する洗浄性と柔軟性付与効果を両立し得、黄ばみの問題も解決でき、かつ皮膚刺激性を低減し、易生分解性と低水生生物毒性をも達成できる、実用上極めて有用な液体洗浄剤組成物が得られることを見出し、本発明の完成に至った。
【０００８】
すなわち、本発明の液体洗浄剤組成物は、炭素数８〜１０の飽和アルコールの含有量が８０％（重量％、以下同様）以上であり、かつ分岐型アルコールの含有量が５０％以上である飽和１級アルコールから誘導された下記化学式（１）で表される非イオン界面活性剤である成分（Ａ）と、アニオン界面活性剤である成分（Ｂ）と、カチオン界面活性剤である成分（Ｃ）とを含有し、これら各成分の固形分重量比が（Ａ）／［（Ｂ）＋（Ｃ）］＝１／１〜２０／１であり、かつ（Ｂ）／（Ｃ）＝２／１〜１／２であるものとする（請求項１）。
【化１】
2006104390.tif 000002
【０００９】
（Ｒ１は炭素数８〜１０の炭化水素基の含有量が８０％以上である炭化水素基を示し、−（ＡＯ）−は炭素数が３および／または４のオキシアルキレン基を示し、−（ＥＯ）−は炭素数が２のオキシエチレン基を示す。また、ｎ、ｍはそれぞれアルキレンオキシドの平均付加モル数を示し、ｎは０〜５、ｍは１〜５０である。）
【００１０】
上記において、成分（Ａ）は２−アルキル−１−アルカノール型の分岐型飽和１級アルコールから誘導された、下記化学式（２）で表される非イオン界面活性剤であることが好ましい（請求項２）。
【化２】
2006104390.tif 000003
【００１１】
（Ｒ２、Ｒ３は炭化水素基を示し、Ｒ２を構成する炭化水素基の炭素数は４〜６、Ｒ３を構成する炭化水素基の炭素数は２〜４であり、Ｒ２とＲ３の炭化水素基の炭素数の合計が６〜１０である。−（ＡＯ）−、−（ＥＯ）−、ｎ及びｍは、化学式（１）と同じである。）
【００１２】
また、前記成分（Ａ）の臨界ミセル濃度（ｃｍｃ）が０．０１重量％以上１．０重量％未満の範囲にあり、前記成分（Ｂ）の臨界ミセル濃度（ｃｍｃ）が０．０１重量％以上１．０重量％未満の範囲にあり、前記成分（Ｃ）の臨界ミセル濃度（ｃｍｃ）が０．０００１重量％以上０．１重量％未満の範囲にあることが好ましい（請求項３）。
【発明の効果】
【００１３】
本発明の液体洗浄剤組成物は、従来技術と比較して以下の効果が認められる。
【００１４】
すなわち、広範な繊維種、衣類に対して実用上満足し得る水準の洗浄性と実用上満足し得る水準の柔軟性付与効果を併せ持つものとなる。また、水中の鉄分の衣類への吸着を抑制し、仕上がり時または経時的に引き起こされる黄ばみ問題を解消する。
【００１５】
また、取り扱い条件や配合条件によっては皮膚刺激性や引火性問題を発現する粘度低下剤、即ち、溶剤類の配合量を大幅に削減することができる。そして、粘度低下剤配合によるコスト高問題を解消できる。
【００１６】
また、本発明で特定した成分で液体洗浄剤組成物を調製した場合、製品の均一透明化、広範な処方の調製、低粘度化等も可能になる。
【００１７】
さらに、皮膚刺激性の大幅低下、易生分解性、低水生生物毒性を達成するものとなる。
【発明を実施するための最良の形態】
【００１８】
本発明の液体洗浄剤組成物は、上記の通り、特定組成の非イオン界面活性剤である成分（Ａ）とアニオン界面活性剤である成分（Ｂ）、更にはカチオン界面活性剤である成分（Ｃ）とからなる。
【００１９】
本発明で必須成分として使用される成分（Ａ）は、特定組成の非イオン界面活性剤であり、皮膚刺激性や環境影響性（水生生物毒性）が問題とならない程度まで改善され、実用上満足し得る水準の洗浄力と実用上満足し得る水準の柔軟性付与効果を確保し、従来技術における種々の問題を解決する。
【００２０】
本発明の目的を達成するために、非イオン界面活性剤である成分（Ａ）は、炭素数８〜１０の含有量が８０％以上で且つ分岐型アルコールの含有量が５０％以上である飽和１級アルコールから誘導される下記化学式（１）の組成を有するものとする。
【化３】
2006104390.tif 000004
【００２１】
化学式（１）において、Ｒ１は、炭素数８〜１０の含有量が８０％以上である炭化水素基、−（ＡＯ）−は炭素数が３および／または４のオキシアルキレン基を示し、−（ＥＯ）−は炭素数が２のオキシエチレン基を示す。また、ｎ、ｍはそれぞれのアルキレンオキシドの平均付加モル数を示し、ｎは０〜５、ｍは１〜５０であることが好ましい。
【００２２】
上記成分（Ａ）は、２−アルキル−１−アルカノール型の分岐型飽和１級アルコールから誘導された、下記化学式（２)で表される非イオン界面活性剤であることが好ましい。
【化４】
2006104390.tif 000005
【００２３】
化学式（２）において、Ｒ２、Ｒ３は炭化水素基を示し、Ｒ２を構成する炭化水素基の炭素数が４〜６、Ｒ３を構成する炭化水素基の炭素数が２〜４であり、Ｒ２とＲ３の炭化水素基の合計が６〜１０であることが好ましく、６〜８であることがより好ましい。−（ＡＯ）−、−（ＥＯ）−、ｎ及びｍは、化学式（１）と同じである。
【００２４】
上記の要件を満たす成分（Ａ）は、分岐型アルコールに由来する特徴である良好な湿潤・浸透性、水への易溶解性、他成分との相溶性、可溶化性、多種多様な汚れに対する良好で且つ広範な洗浄性を示し、本発明の目的を達成する上で必要不可欠な成分である。
【００２５】
上記成分（Ａ）は、炭素数８〜１０の含有量が８０％以上であり、かつ分岐型アルコールの含有量が５０％以上である飽和１級アルコールから誘導され、その飽和１級アルコールは、炭素数が単一であっても、異なる炭素数の高級アルコールの混合物であってもよく、また、高級アルコールの化学構造は単一組成であっても、複数の異性体からなる混合物であってもよい。好適な例としては、プロピレン或いはブテン、又はその混合物から誘導される高級オレフィンを経て、オキソ法によって製造される分岐型の飽和１級アルコールが挙げられ、この製法にて製造されるイソノナノール、イソデカノールなどが市販されている。また、この製法にて製造される分岐型飽和１級アルコールの混合物、例えばＥＸＸＡＬ９、ＥＸＸＡＬ１０（エクソン・ケミカル社製）なども好適に使用できる分岐型高級アルコールの一例である。また、ｎ−パラフィンやエチレンオリゴマーから誘導されるオレフィンを経て、オキソ法によって製造される直鎖型と分岐型の混合アルコールなども好適に使用できる。また、２−プロピル−１−ヘキサノール、２−ブチル−１−ヘキサノール、２−エチル−１−ヘプタノール、２−プロピル−１−ヘプタノール、２−エチル−１−オクタノール等の２−アルキル−１−アルカノール型の化学構造をもつゲルベアルコール（Ｇｕｅｒｂｅｔ  Ａｌｃｏｈｏｌ）類の単一組成、或いはその混合物なども好適に使用できる分岐型高級アルコールの一例である。また、上記各種アルコールを２種以上配合して使用することも可能である。
【００２６】
本発明で使用する非イオン界面活性剤は、上記飽和１級アルコールにエチレンオキシドと炭素数３及び／又は４のアルキレンオキシドをブロック付加して得られ、この付加重合の際に特定のモル比等の条件を選択したものである。炭素数３のアルキレンオキシドはプロピレンオキシドである。炭素数４のアルキレンオキシドは、テトラヒドフランも含むが、好ましくは、１，２−ブチレンオキシドまたは２，３−ブチレンオキシドである。
【００２７】
一般式（１）及び（２）で示される化合物中のｎ、即ち、炭素数３及び／又は炭素数４のアルキレンオキシドの平均付加モル数は好ましくは０〜１０、より好ましくは０〜５である。この平均付加モル数（ｎ）が１０を超える場合、表面張力低下能、湿潤・浸透力などの実用上の性能が低下したり、性状が悪化したりする可能性がある。
【００２８】
一般式（１）及び（２）で示される化合物中のｍ、即ち、エチレンオキシド平均付加モル数は１〜１００であり、表面張力低下能、湿潤・浸透力、また、物性のバランスに優れているという点で、１〜５０が好ましく、１〜２０がさらに好ましい。
【００２９】
本発明で使用する非イオン界面活性剤は、アルカリ触媒、酸触媒の他、金属酸化物、金属塩類、金属錯体類などの種々公知の触媒を用いて上記飽和１級アルコールから誘導することが可能である。中でも、アルカリ触媒は、副生物の生成量が相対的に低く、また反応速度、製造コスト等の点から商業生産上有利である。使用できるアルカリ触媒の一例としては、水酸化カリウム、水酸化ナトリウムなどのアルカリ金属の水酸化物及びトリエチルアミンをはじめとする各種アミン化合物などが挙げられる。好適な触媒量は反応粗製物（全仕込量）当たり０．００５〜１．０％（固形分換算）、より好ましくは０．０３〜０．４％（固形分換算）の範囲である。
【００３０】
更に、本発明者は、界面活性剤の性能を特徴付ける上で極めて重要な物理化学的特性値である臨界ミセル濃度（ｃｍｃ）が、実用上有用な本発明の効果を規定する上で極めて合理的であることを見出し、本発明に好適に使用できる界面活性剤の範囲を２５℃における臨界ミセル濃度（ｃｍｃ）により特定した。
【００３１】
界面活性剤の臨界ミセル濃度（ｃｍｃ）とは、界面活性剤の性能と実使用濃度を決定する重要な特性値である。本発明において、臨界ミセル濃度（ｃｍｃ）は、２５℃における任意の濃度の界面活性剤水溶液に対するウィルヘルミー法による表面張力データ（表面張力−濃度曲線の屈曲点）から求めた特性値であり、単位は重量％である。
【００３２】
成分（Ａ）に関しては、好適に使用できる非イオン界面活性剤は、臨界ミセル濃度（ｃｍｃ）が、０．０１重量％以上１．０重量％未満の範囲にあるものである。成分（Ａ）の臨界ミセル濃度が０．０１重量％未満であると、柔軟性が低下し、風合いが悪化する場合がある。また、皮膚刺激性や環境影響性（水生生物毒性）が悪化する場合がある。一方、臨界ミセル濃度が１．０重量％以上であると、実用上所望される洗浄力が発現しない、風合いが悪化するといった問題を引き起こす場合がある。
【００３３】
次に、本発明の液体洗浄剤組成物に使用するアニオン界面活性剤である成分（Ｂ）の具体例としては、炭素数８〜１６のアルキル基を有するアルキルベンゼンスルホン酸塩、炭素数８〜２０のアルキル硫酸塩、炭素数８〜２０のオレフィンスルホン酸塩、炭素数８〜２０のアルカンスルホン酸塩、炭素数８〜２０の直鎖または分岐鎖のアルキル基もしくはアルケニル基を有し、平均１〜１０モルのエチレンオキシドを付加したアルキルエーテル硫酸塩またはアルケニルエーテル硫酸塩、炭素数８〜２０のアルキル基を有し、平均１〜１０モルのエチレンオキシドを付加したポリオキシエチレンアルキルフェノールエーテル硫酸塩、炭素数８〜２０のアルキル基を有するα−スルホ脂肪酸エステル塩などが挙げられる。中でも、直鎖アルキルベンゼンスルホン酸塩の他、疎水基が炭素数８〜１５の直鎖型及び／又は分岐型炭化水素基である前述のスルホン酸型、硫酸エステル型のアニオン界面活性剤が好ましい。特に、疎水基が炭素数８〜１５の分岐型炭化水素基であることが望ましい。
【００３４】
成分（Ｂ）であるアニオン界面活性剤の臨界ミセル濃度（ｃｍｃ）は、０．０１重量％以上１重量％未満の範囲にあることが好ましい。成分（Ｂ）の臨界ミセル濃度が０．０１重量％未満であると、柔軟性が低下し、風合いが悪化する場合がある。一方、臨界ミセル濃度が１．０重量％以上であると、実用上所望される洗浄力が発現しない、風合いが悪化するといった問題を引き起こす場合がある。
【００３５】
次に、本発明の液体洗浄剤組成物に使用するカチオン界面活性剤である成分（Ｃ）の好適な例としては、次の化学式（Ｉ−１）又は（Ｉ−２）で表されるモノ長鎖炭化水素基型４級アンモニウム塩、ジ長鎖炭化水素基型４級アンモニウム塩、モノ長鎖炭化水素基型３級アミン、ジ長鎖炭化水素基型３級アミンが挙げられる。これら化学式（Ｉ−１）又は（Ｉ−２）で表される化合物は、１種を単独で用いてもよく、２種以上の混合物を用いてもよい。
【化５】
2006104390.tif 000006
【００３６】
化学式（Ｉ−１）及び（Ｉ−２）において、Ｒ１１は、炭素数８〜２４のアルキル基またはアルケニル基またはβ−ヒドロキシアルキル基、あるいは分断基としてエステル基またはアミド基またはエーテル基を有し、これら分断基も含めて炭素数が８〜２７の炭化水素基である。Ｒ１２は、炭素数８〜２４のアルキル基またはアルケニル基またはβ−ヒドロキシアルキル基、あるいは分断基としてエステル基またはアミド基またはエーテル基を有し、これら分断基も含めて炭素数が８〜２７の炭化水素基である。Ｒ１２は、あるいは炭素数１〜３のアルキル基またはβ−ヒドロキシアルキル基であってもよい。Ｒ１３は、炭素数１〜３のアルキル基またはβ−ヒドロキシアルキル基であり、化学式（Ｉ−１）における２個のＲ１３は同じでも異なっていてもよい。Ｘ−はハロゲンイオン又は炭素数１〜３のアルキル基を有するモノアルキル硫酸塩基である。また、Ｘ−は系中の平衡作用により、系中に存在する他のアニオン性化合物に置き換わっていてもよい。また、系中に酸が共存するとき、３級アミンである化学式（Ｉ−２）の化合物は、酸と中和塩を形成していてもよい。
【００３７】
上記カチオン界面活性剤のより具体的な例として、次の化学式（ＩＩ）又は（ＩＩＩ）で示される化合物を例示することができる。
【化６】
2006104390.tif 000007
【００３８】
成分（Ｃ）であるカチオン界面活性剤の臨界ミセル濃度（ｃｍｃ）は、０．０００１重量％以上０．１重量％未満の範囲にあることが好ましい。成分（Ｃ）の臨界ミセル濃度が０．０００１重量％未満であると、成分（Ｃ）を洗浄剤組成物中に配合し難くなり、また、実用上所望される柔軟性を発現しない、衣類の黄ばみを生じるといった問題を引き起こす場合がある。また、皮膚刺激性や環境影響性（水生生物毒性）が悪化する傾向にある。一方、臨界ミセル濃度が０．１重量％以上であると、実用上所望される柔軟性を発現しない、風合いが悪化するといった問題を引き起こす場合がある。
【００３９】
上記各成分は固形分重量比が（Ａ）／［（Ｂ）＋（Ｃ）］＝１／１〜２０／１となるように配合する。（Ａ）成分の配合量がこれより少ないと、実用上所望される洗浄力が発現しない。また、洗浄剤組成物の相溶性が悪化する。これより多いと、実用上所望される柔軟性が発現しない。配合量のより好ましい範囲は（Ａ）／［（Ｂ）＋（Ｃ）］＝２／１〜１０／１である。また、成分（Ｂ）と成分（Ｃ）の割合は固形分重量比で（Ｂ）／（Ｃ）＝２／１〜１／２の範囲にあることが好ましい。
【００４０】
上記した要件を満たす成分（Ａ）、（Ｂ）、（Ｃ）で構成される洗浄剤組成物は、従来技術で問題となっていた水中の鉄分が衣類に吸着し、黄ばみを生じるといった問題をも解決する。
【００４１】
また、上記した要件を満たす成分（Ａ）、（Ｂ）、（Ｃ）で構成される洗浄剤組成物は、取り扱い条件や配合条件によっては皮膚刺激性や引火性の問題を発現する粘度低下剤、即ち、溶剤類の配合量を大幅に削減することができる。また、粘度低下剤配合によるコスト高問題を解消することができる。さらに、本発明の範囲内で、成分（Ａ）、（Ｂ）、(Ｃ)の選択、配合条件をさらに特定の範囲内に限定した場合には、外観が均一透明状の液体洗浄剤組成物が得られ、これは当該製品の商品価値を大幅に向上させる。
【００４２】
本発明の洗浄剤組成物には、上記必須成分の他に、本発明の効果を阻害しない範囲内で、高級脂肪酸、公知のキレート剤、再汚染防止剤として、例えばポリエチレングリコール、カルボキシメチルセルロース等、粘度低下剤として、例えばエタノール、イソプロパノール等の低級アルコール類、エチレングリコール、プロピレングリコール等のグリコール類、尿素、ベンゼンスルホン酸塩、トルエンスルホン酸塩類、キシレンスルホン酸塩、安息香酸塩など、更には乳濁剤として、例えばポリ酢酸ビニル、酢酸ビニルスチレン重合体、ポリスチレンなどを配合することができる。また、蛍光染料、香料、色素、酵素なども必要に応じ配合することができる。本組成物の製造方法は特に限定されるものではないが、ｐＨを調整するために水酸化ナトリウム、水酸化カリウム、アルカノールアミン、硫酸、塩酸等を使用できる。また、公知の増粘剤、防腐剤などを配合することもできる。
【実施例】
【００４３】
以下に、実施例を挙げて本発明をさらに詳細に説明するが、本発明はこれらの実施例によりなんら限定されるものではない。
【００４４】
１．非イオン界面活性剤の合成
８Ｌのオートクレーブに表１に示した出発原料としての所定量のアルコールと水酸化カリウム（対粗製物あたり０．１０％）を仕込み、オートクレーブ内をチッ素置換した後、攪拌しながら７０℃で減圧して、反応器内の内圧が２．７ＫＰａに到達後、引き続き３０分間減圧脱水を継続した。ついで、１２０℃まで昇温した後、１２５±５℃、反応圧０．２０ＭＰａで、同表に示した付加モル数に応じた量のアルキレンオキシド（ＰＯ：プロピレンオキシド、ＢＯ：ブチレンオキシド）を導入した。導入後、反応温度を維持して、内圧が低下して一定になるまで熟成させた。次に、１３５±５℃、反応圧０．２５ＭＰａで同表に示した付加モル数に応じた量のエチレンオキシドを導入した後、反応温度を維持しつつ、内圧が低下して一定になるまで熟成させた。反応液を７０℃まで冷却した後、乳酸で中和し、非イオン界面活性剤を得た。
【００４５】
上記により得られた非イオン界面活性剤の組成、曇点、臨界ミセル濃度（ｃｍｃ）、環境特性値を表１に示した。
【００４６】
なお、曇点は、非イオン界面活性剤の１％水溶液による値を示した。
【００４７】
臨界ミセル濃度（ｃｍｃ）は、２５℃にて任意の濃度の非イオン界面活性剤水溶液の表面張力をウィルヘルミー法にて測定し、得られた［表面張力（ｍＮ／ｍ）−水溶液濃度（重量％）］曲線から求めた値（単位：重量％）を示した（表面張力法）。
【００４８】
また、環境特性値としての魚毒性は、ヒメダカ（Ｏｒｙｚｉａｓ  Ｌａｔｉｐｅｓ）について、ＪＩＳ  Ｋ  ０１０２：１９９８  「工場排水試験方法」の魚類に対する急性毒性試験の項を参考に、水温２４±１℃、止水式、１０尾供試にて９６時間ＬＣ５０値（半数致死濃度）で評価した結果を示した。 
○  …  ＬＣ５０値  ≧  １０ｍｇ／Ｌ
×  …  ＬＣ５０値  ＜  １０ｍｇ／Ｌ
【００４９】
また、環境特性値としての生分解性は、ＯＥＣＤテストガイドライン（易生分解性試験）３０１Ｂに則り、水温２２±２℃で２８日間供試し、理論二酸化炭素量に対する発生二酸化炭素量から、生分解率（％）を求めて生分解性を評価した結果を示した。 
○  …  分解率（２８日）  ≧  ６０％
×  …  分解率（２８日）  ＜  ６０％
【００５０】
【表１】
2006104390.tif 000008
【００５１】
２．液体洗浄剤組成物の調製及び評価
上記により得られた非イオン界面活性剤、その他表２に示した各成分を用い、表２に示した配合に従って液体洗浄剤組成物を調製し、以下の要領で洗浄試験及び評価を行った。なお、表２に示した組成は重量部（固形分換算）であり、組成物全体で１００重量部となるようにした。
【００５２】
（１）綿繊維に対する洗浄試験（柔軟性付与効果と黄ばみ性の評価）
１０リットル容の小型反転式洗濯機にて、鉄分０．３ｐｐｍを含む２５℃の水道水５リットルに洗浄剤組成物１０グラムを溶かし、浴比が５０倍となるように白色綿タオルを入れ、１０分間洗浄したのち、含水率１００％となるように脱水し、次いで鉄分０．３ｐｐｍを含む２５℃の水道水５リットルで２回すすいだのち、陰干しして１２時間乾燥させた。同一の綿タオルにこの洗浄操作を３回繰り返した後、２５℃、６５％ＲＨ恒温恒湿室に２日放置して、これを試験布として、柔軟性及び黄ばみ性を評価した。
【００５３】
対照布としては、炭素鎖長がＣ１２とＣ１４でＣ１２／Ｃ１４の比が７５／２５で、且つ直鎖率１００％の飽和１級アルコールの７ＥＯ付加物の２０％水溶液を洗浄剤組成物として上述の洗浄処理を３回行ったものを用いた。
【００５４】
［柔軟性評価］
対照布を対照にして一対比較を行い、下記基準による官能評価を行った。評価は５人の女性（既婚者）パネラーの評価点を加算した合計点数（０点〜１５点）で評価した。 
３点：  対照布より非常に柔らかい
２点：  対照布より十分柔らかい
１点：  対照布より少し柔らかい
０点：  柔らかくない（対照布と同等）
【００５５】
［黄ばみ性評価］
対照布を対照にして一対比較を行い、下記基準により目視にて評価した。評価は５人の女性（既婚者）パネラーの評価点を加算した合計点数（−１０点〜０点）で評価した。 
０点：  対照布と同等の白さである
−１点：  対照布よりもわずかに黄ばみがある
−２点：  対照布よりもかなり黄ばみがある
【００５６】
（２）合成繊維に対する洗浄試験（柔軟性付与効果と黄ばみ性の評価）
白色綿タオルの代わりにアクリルジャージ布を用いた以外、上記綿繊維の洗浄試験と同様の条件下で洗浄試験及び評価を行った。なお、対照布としてはアクリルジャージ布を用い、上記綿繊維用の洗浄試験と同様の処理条件下で準備したものを用いた。
【００５７】
（３）襟汚れに対する洗浄試験（洗浄力評価）
３日間着用した綿／ポリエステル混紡ワイシャツの襟部分を裁断し、襟汚れ試験布を作成後、汚れの程度で襟布を３つのグループに分け、汚れの程度が中程度のグループの襟汚れ試験布を用い、洗浄評価に供した。なお、本試験は平成１６年６月下旬から７月下旬にかけて実施した。また、本試験は襟汚れを付着させる目的で着用したワイシャツを回収後、４８時間以内に試験に供試された。洗浄試験は白色綿タオルの代わりに襟汚れ試験布３枚に加えチャージ布を用いた以外、上記綿繊維用の洗浄試験と同様の条件下（但し、洗浄操作は１回）で行った。なお、チャージ布は襟汚れを作成したワイシャツと同一の未着用のワイシャツを裁断して、上記綿繊維用の洗浄試験と同様の処理条件下で洗浄処理して準備した。また、対照布はチャージ布作成の目的で供試、洗浄処理したワイシャツから襟部分を裁断して得た。
【００５８】
［洗浄性評価］
対照布を対照にして一対比較を行い、下記基準により目視して評価を行った。評価は５人の女性（既婚者）パネラーの評価点を加算した合計点数（０点〜１５点）で評価した。 
３点：  対照布に比較して襟汚れが完全に除去され、非常に洗浄性がよい
２点：  対照布に比較して襟汚れがほぼ完全に除去され、洗浄性が良好である
１点：  対照布に比較して襟汚れがうっすら確認される程度に汚れが残存している
０点：  対照布に比較して襟汚れがほとんど除去されていない
【００５９】
【表２】
2006104390.tif 000009
【産業上の利用可能性】
【００６０】
本発明の液体洗浄剤組成物は、実用上所望される洗浄性、柔軟性付与効果を両立し、黄ばみの問題も生じず、合わせて皮膚刺激性や環境適合性をも改善し得る極めて有用な洗浄剤組成物であり、仕上がり後の風合い改良、柔軟性付与を目的とする各種工程、すなわち業務用衣類洗浄、リネン洗浄、家庭用衣類洗浄等の各種分野で液体洗浄剤として利用可能である。